(57)【要約】【課題】落下などの衝撃によって固形化粧料が割れを生じて飛散することを防止することが可能な化粧料容器の提供を目的とする。【解決手段】容器本体２に形成された左収納凹部３ｂと、左収納凹部内方に取り外し可能に収納され、固形化粧料Ｐが充填される化粧料皿４と、化粧料皿を当該化粧料皿との間に隙間Ｓを隔てて囲繞しつつ、左収納凹部内に挿入される環状枠体５と、環状枠体と左収納凹部との間に設けられ、環状枠体を収納凹部に係脱自在に係合する係合部６と、環状枠体に一体的に設けられ、固形化粧料を化粧具で擦り取るべく化粧料皿の上部に形成された開口部４ａを覆うための弾性を有する伸縮自在なメッシュ状のカバー７とを備えた。【選択図】図２
2008061673.tif 000002
【特許請求の範囲】
【請求項１】
容器本体に形成された収納凹部と、該収納凹部内方に取り外し可能に収納され、固形化粧料が充填される化粧料皿と、該化粧料皿を当該化粧料皿との間に隙間を隔てて囲繞しつつ、上記収納凹部内に挿入される環状枠体と、該環状枠体と上記収納凹部との間に設けられ、該環状枠体を該収納凹部に係脱自在に係合する係合部と、上記環状枠体に一体的に設けられ、固形化粧料を化粧具で擦り取るべく上記化粧料皿の上部に形成された開口部を覆うための弾性を有する伸縮自在なメッシュ状のカバーとを備えたことを特徴とする化粧料容器。
【請求項２】
前記環状枠体が、前記化粧料皿の前記開口部よりも下方位置で上下に分割された上部枠体と下部枠体とから構成され、前記カバーは、上記化粧料皿を前記収納凹部底面へ向かって押圧付勢するために、上記上部枠体と上記下部枠体との間に挟み込まれて上記開口部から下方へ引張されて設けられるとともに、上記収納凹部底面には、上記化粧料皿を弾性支持するクッション材が敷設されることを特徴とする請求項１に記載の化粧料容器。
【請求項３】
前記化粧料皿の底面が、周縁で浅く中央で深い湾曲面で形成されることを特徴とする請求項１または２に記載の化粧料容器。
【発明の詳細な説明】
【技術分野】
【０００１】
本発明は、落下などの衝撃によって固形化粧料が割れを生じて飛散することを防止することが可能な化粧料容器に関する。
【背景技術】
【０００２】
粉末化粧料を収納した化粧料容器に、粉末化粧料のパフへの付着操作を良好にする目的で、伸縮性のネットを展張させて設けた「粉末化粧料容器の伸縮性ネットシフタ」が知られている（特許文献１参照）。
【特許文献１】実開昭６３−１７７４０６号公報
【発明の開示】
【発明が解決しようとする課題】
【０００３】
ファンデーションやブラッシャー等の固形化粧料の場合には、粉末化粧料の場合とは異なり、パフや筆などの化粧具を直接擦り付けることで適度な量の化粧料を取り出すことができるため、化粧料を覆うネットを設ける必要性はなかった。
【０００４】
他方、固形化粧料は、粉末化粧料とは異なり、化粧料容器の落下などで衝撃が加わると、化粧料に割れが生じて細片化して飛散するため、その後の使用に不都合が生じるという課題があった。
【０００５】
本発明は上記従来の課題に鑑みて創案されたものであって、落下などの衝撃によって固形化粧料が割れを生じて飛散することを防止することが可能な化粧料容器を提供することを目的とする。
【課題を解決するための手段】
【０００６】
本発明にかかる化粧料容器は、容器本体に形成された収納凹部と、該収納凹部内方に取り外し可能に収納され、固形化粧料が充填される化粧料皿と、該化粧料皿を当該化粧料皿との間に隙間を隔てて囲繞しつつ、上記収納凹部内に挿入される環状枠体と、該環状枠体と上記収納凹部との間に設けられ、該環状枠体を該収納凹部に係脱自在に係合する係合部と、上記環状枠体に一体的に設けられ、固形化粧料を化粧具で擦り取るべく上記化粧料皿の上部に形成された開口部を覆うための弾性を有する伸縮自在なメッシュ状のカバーとを備えたことを特徴とする。
【０００７】
前記環状枠体が、前記化粧料皿の前記開口部よりも下方位置で上下に分割された上部枠体と下部枠体とから構成され、前記カバーは、上記化粧料皿を前記収納凹部底面へ向かって押圧付勢するために、上記上部枠体と上記下部枠体との間に挟み込まれて上記開口部から下方へ引張されて設けられるとともに、上記収納凹部底面には、上記化粧料皿を弾性支持するクッション材が敷設されることを特徴とする。
【０００８】
前記化粧料皿の底面が、周縁で浅く中央で深い湾曲面で形成されることを特徴とする。
【発明の効果】
【０００９】
本発明にかかる化粧料容器にあっては、落下などの衝撃によって固形化粧料が割れを生じて飛散することを防止することができる。
【発明を実施するための最良の形態】
【００１０】
以下に、本発明にかかる化粧料容器の好適な実施形態を、添付図面を参照して詳細に説明する。第１実施形態にかかる化粧料容器１は基本的には、図１〜図３に示すように、容器本体２に形成された収納凹部３ａ，３ｂと、収納凹部３ｂ内方に取り外し可能に収納され、固形化粧料Ｐが充填される化粧料皿４と、化粧料皿４を当該化粧料皿４との間に隙間Ｓを隔てて囲繞しつつ、収納凹部３ｂ内に挿入される環状枠体５と、環状枠体５と収納凹部３ｂとの間に設けられ、環状枠体５を収納凹部３ｂに係脱自在に係合する係合部６と、環状枠体５に一体的に設けられ、固形化粧料Ｐを化粧具で擦り取るべく化粧料皿４の上部に形成された開口部４ａを覆うための弾性を有する伸縮自在なメッシュ状のカバー７とを備えて構成される。
【００１１】
容器本体２は合成樹脂材で形成され、その後端部には、ヒンジピン８を介して、鏡９を備えた合成樹脂製の蓋体１０が開閉自在に連結される。蓋体１０の前端部に形成されたフック片１１が容器本体２の前端部の凹所１２内に形成されたフック突起１３に係脱自在に係合され、これにより容器本体２は蓋体１０で閉じられる。容器本体２内には、左右方向中央に形成された仕切り壁１４で左右一対の収納凹部３ａ，３ｂが形成される。右収納凹部３ａには、パフなどの化粧具が収納される。右収納凹部３ａの底面にはこれを貫通して換気口１５が形成される。
【００１２】
左収納凹部３ｂには、合成樹脂製の化粧料皿４が収納される。化粧料皿４は、底部４ｂと、この底部４ｂの周縁から立ち上げて環状に形成された周壁部４ｃとから、上部に開口部４ａが形成された浅底の中空筒体状に形成される。この化粧料皿４内部には、開口部４ａから化粧料Ｐが充填される。化粧料Ｐとしては、粉末化粧料とは異なり、衝撃等が加わると細片化し得る硬く脆い性質を有する固形化粧料を対象とする。化粧料皿４内に充填された固形化粧料Ｐは、化粧料皿４の開口部４ａを介してこれに擦り付けられるパフや筆などの化粧具に付着される。この化粧料皿４は、左収納凹部３ｂから取り外し可能に、左収納凹部３ｂの内径寸法よりも小さな外径寸法で形成される。
【００１３】
環状枠体５は合成樹脂材で形成され、化粧料皿４と左収納凹部３ｂとの間に配置される。環状枠体５は、化粧料皿４との間にそれらの径方向に隙間Ｓを隔てて当該化粧料皿４を囲繞しつつ、左収納凹部３ｂに挿入されるように、その内径寸法は化粧料皿４の外径寸法よりも大きく形成され、またその外径寸法は左収納凹部３ｂの内径寸法よりも僅かに小さく形成される。また、環状枠体５の高さ寸法は、容器本体２の上端面とほぼ同一であって、かつ化粧料皿４の上端面よりも僅かに低く形成される。換言すれば、化粧料皿４の上端面位置は、容器本体２および環状枠体５の上端面位置よりも僅かに高くなるように設定される。
【００１４】
環状枠体５と左収納凹部３ｂとの間には、環状枠体５を左収納凹部３ｂに係脱自在に係合する係合部６が設けられる。この係合部６は、左収納凹部３ｂの仕切り壁１４およびこの仕切り壁１４と向かい合う周壁面に突出形成された係合突起６ａと、これら係合突起６ａに対応させて環状枠体５に窪ませて形成された係合凹部６ｂとから構成される。また仕切り壁１４には、これを下方へ窪ませて、環状枠体５の取り外し操作のための凹み部１６が形成される。そして凹み部に手指を挿入して環状枠体５を左方向へ押圧操作することで、仕切り壁１４における係合突起６ａと係合凹部６ｂとの係合が離脱され、これにより環状枠体５と左収納凹部３ｂとの係合状態を解除することができるようになっている。
【００１５】
環状枠体５には、その上端面から内方にわたってカバー７が設けられる。このカバー７は、環状枠体５の上端面に、インサート成形により一体的に、あるいは接着剤などによって取り付けられる。カバー７は、伸縮自在なメッシュ状の素材で形成される。詳細には、極細繊維を伸び縮みするように網目状に編んだ布状材が採用される。具体的には、女性用ストッキングに用いられる薄手の合成繊維素材が好ましい。このような素材は、引き延ばした状態から解放すると、縮んで元の状態に復原する弾性的性質を有する。カバー７は、適度なテンションを加えた引張状態で環状枠体５に固定される。またカバー７は、左収納凹部３ｂに収納された化粧料皿４上に被せるようにして当該左収納凹部３ｂに環状枠体５が挿入されると、化粧料皿４の開口部４ａを覆いつつ、化粧料皿４上端面に当接してさらに引き延ばされ、この引き延ばし状態で化粧料皿４を左収納凹部３ｂ内に上方から押さえ付けるように構成される。
【００１６】
第１実施形態にかかる化粧料容器の作用について説明すると、化粧料皿４を装着するに際しては、当該化粧料皿４を左収納凹部３ｂに挿入し、その後、環状枠体５を左収納凹部３ｂに挿入する。環状枠体５の挿入操作により、係合部６が係合し、これにより環状枠体５が容器本体２に固定されるとともに、化粧料皿４は、伸縮自在なカバー７で押圧されて、左収納凹部３ｂの底面に押し付けられて固定される。この際、環状枠体５と化粧料皿４との間には、それらの周方向に隙間Ｓが形成される。環状枠体５に化粧料皿４を装着した状態で、左収納凹部３ｂに装着するようにしても良い。
【００１７】
使用に際しては、蓋体１０を開放し、カバー７の上から化粧具を押し付ける。化粧具を押し付けると、伸縮性を有するカバー７が引き延ばされて化粧料皿４内方へ撓み、これにより化粧料皿４内の固形化粧料Ｐを化粧具に付着させることができる。また、交換などのために化粧料皿４を取り外す際には、凹み部１６に手指を入れて環状枠体５を左収納凹部３ｂから取り外し、その後容器本体２をさかさまにするなどすれば、化粧料皿４を容器本体２から取り外すことができる。
【００１８】
他方、落下などにより容器本体２に衝撃が加わった際には、化粧料皿４の上下方向に作用する衝撃は伸縮性を有するカバー７によって柔らかく受け止めることができ、また左右方向に作用する衝撃は隙間Ｓによって緩衝することができて、これにより固形化粧料Ｐが割れを生じて飛散することを防止することができる。特に、環状枠体５の上端面位置よりも化粧料皿４の上端面位置を高く設定して、常にカバー７の伸縮作用を化粧料皿４に作用させるようにしたので、化粧料皿４と環状枠体５との間に衝撃吸収用の隙間Ｓを設定しても、常時、化粧料皿４を左収納凹部３ｂ内に安定的に保持できるとともに、衝撃発生時には遊びなく化粧料皿４に作用する衝撃を吸収することができて、適切な衝撃吸収作用を確保することができる。また、仮に強い衝撃を受けて固形化粧料Ｐに割れが生じても、この割れによって生じた細片をカバー７で化粧料皿４内に閉じ込めておくことができ、化粧料皿４外方への飛散を防止することができる。そしてまた、このような細片化した固形化粧料Ｐであっても、カバー７上から化粧具を擦り付けることで、化粧具に付着させることができ、割れで生じた細片状の固形化粧料Ｐも無駄なく使用することができる。
【００１９】
図４〜図６には、本発明にかかる化粧料容器１の第２実施形態が示されている。第２実施形態にあっては、環状枠体５が、化粧料皿４の開口部４ａよりも下方位置で上下に分割された上部枠体５ａと下部枠体５ｂとから構成され、カバー７は、化粧料皿４を左収納凹部３ｂ底面へ向かって押圧付勢するために、上部枠体５ａと下部枠体５ｂとの間に挟み込まれて開口部４ａから下方へ引張されて設けられるとともに、左収納凹部３ｂ底面には、化粧料皿４を弾性支持するクッション材１７が敷設される。
【００２０】
第２実施形態にあっては、第１実施形態の環状枠体５を、化粧料皿４の開口部４ａよりも下方位置で上下に分割した形態の、上部枠体５ａおよび下部枠体５ｂを備えて構成される。これら上部枠体５ａと下部枠体５ｂとは、下部枠体５ｂの内側位置に立設した壁部５ｃに、上部枠体５ａの外側位置に垂下させた壁部５ｄを重ね合わせる形態で一体化され、これにより一体的な環状枠体５として構成される。カバー７は、これら上部枠体５ａと下部枠体５ｂとの間に、これら枠体５ａ，５ｂの成形時に、インサート成形などによって挟み込んで設けられる。
【００２１】
すなわち、カバー７は、環状枠体５の高さ方向中間部に張り渡されることとなり、これにより、環状枠体５を化粧料皿４に上方から被せると、カバー７は化粧料皿４上端面によって押し上げられつつ強く引き延ばされて、開口部４ａから下方へ向かって強く引張され、第１実施形態に比べて化粧料皿４を左収納凹部３ｂ底面へ向かって強く押圧付勢する。また、左収納凹部３ｂの底面には、ゴム、あるいはウレタンや発泡材などの合成樹脂材で形成され、化粧料皿４を弾性支持するシート状のクッション材１７が設けられる。また第２実施形態にあっては、化粧料皿４の底面は、周縁で浅く中央で深い湾曲面４ｄで形成される。その他の構成は、第１実施形態と同様である。
【００２２】
第２実施形態にあっては、環状枠体５を、化粧料皿４の開口部４ａよりも下方位置で上下に分割された上部枠体５ａと下部枠体５ｂとから構成し、カバー７を、これら上部枠体５ａと下部枠体５ｂとの間に挟み込むことで、開口部４ａから下方へ強く引張して設けるようにしたことにより、化粧料皿４を左収納凹部３ｂ底面へ向かって強く押圧付勢することができ、そしてこれに合わせて、左収納凹部３ｂ底面にクッション材１７を設けたので、化粧料皿４の上下方向の衝撃をさらに効果的に吸収させることができ、衝撃作用による固形化粧料Ｐの割れを適切に防止することができる。
【００２３】
また、固形化粧料Ｐが充填される化粧料皿４の底面を、周縁で浅く中央で深い湾曲面４ｄで形成したので、カバー７を押さえ付けつつ化粧料Ｐを擦り取る化粧具を底面全面の隅々にまでわたって容易に擦り付けることができ、化粧料Ｐを無駄なく付着させて取り出すことができる。このような第２実施形態にあっても、上記第１実施形態と同様な作用・効果を奏することはもちろんである。
【図面の簡単な説明】
【００２４】
【図１】本発明にかかる化粧料容器の第１実施形態の分解斜視図である。
【図２】図１に示した化粧料容器の側断面図である。
【図３】図１に示した化粧料容器の組み立て状態を示す説明図である。
【図４】本発明にかかる化粧料容器の第２実施形態の分解斜視図である。
【図５】図４に示した化粧料容器の側断面図である。
【図６】図４に示した化粧料容器の組み立て状態を示す説明図である。
【符号の説明】
【００２５】
１  化粧料容器
２  容器本体
３ｂ  左収納凹部
４  化粧料皿
４ａ  開口部
４ｄ  湾曲面
５  環状枠体
５ａ  上部枠体
５ｂ  下部枠体
６  係合部
７  カバー
１７  クッション材
Ｐ  固形化粧料
Ｓ  隙間
【図１】
2008061673.tif 000003
【図２】
2008061673.tif 000004
【図３】
2008061673.tif 000005
【図４】
2008061673.tif 000006
【図５】
2008061673.tif 000007
【図６】
2008061673.tif 000008